(57)【要約】【課題】温度帯が低い貯蔵室側の冷気の侵入経路を絶ち、断熱仕切壁の構成を簡素化して冷気と接触する面積を縮小して、消費電力を低減するようにしている冷蔵庫を提供すること。【解決手段】冷凍室２７を断熱する発泡断熱材２３を内部に設けた断熱仕切壁２５と、この断熱仕切壁２５の一部に設け、冷凍室２７の入り口側に配置した断熱仕切壁前部４３と、奥側に配置した断熱仕切壁後部４４と、冷凍室２７側の内壁を構成する断熱仕切壁２５の断熱仕切壁前部４３の下部に断熱仕切壁後部４４より前記貯蔵室内に張り出して設けた張り出し部４５を設け、冷凍室２７側の冷気３９の侵入経路を絶ち、断熱仕切壁２５の構成を簡素化して冷気３９と接触する面積を縮小するので、消費電力を低減することができる。【選択図】図１
2011191026.tif 000002
【特許請求の範囲】
【請求項１】
温度帯が異なる複数個の貯蔵室間を断熱する断熱材を内部に設けた断熱仕切壁と、この断熱仕切壁の一部に設け、前記貯蔵室の入り口側に配置した断熱仕切壁前部と、前記貯蔵室の奥側に配置した断熱仕切壁後部と、前記の複数個の貯蔵室の温度帯が低い貯蔵室側の内壁を構成する断熱仕切壁の断熱仕切壁前部の下部に断熱仕切壁後部より前記貯蔵室内に張り出して設けた張り出し部とを備えた冷蔵庫。
【請求項２】
張り出し部は、貯蔵室の左右幅方向に構成する請求項１項に記載の冷蔵庫。
【請求項３】
張り出し部は、断熱仕切壁前部の断熱材と一体に構成する請求項１または２項に記載の冷蔵庫。
【請求項４】
断熱材は、断熱仕切壁内に充填発泡されたウレタン発泡断熱材で構成する請求項１〜３のいずれか１項に記載の冷蔵庫。
【請求項５】
断熱材は、一部がポリスチレン系樹脂で構成され、張り出し部は、前記ポリスチレン樹脂で構成した請求項１〜３のいずれか１項に記載の冷蔵庫。
【請求項６】
断熱仕切壁は、温度帯が異なる複数個の貯蔵室を上下に仕切るようにした請求項１〜５のいずれか１項に記載の冷蔵庫。
【請求項７】
断熱仕切壁は、断熱仕切壁後部の下側から支える断熱仕切下部カバーを張り出し部に沿って延長し、その端部を貯蔵室の入り口側に屈曲し構成した請求項１〜６のいずれか１項に記載の冷蔵庫。
【請求項８】
張り出し部は、温度帯が低い貯蔵室のドアの内面から突出する突出部とで略水平に構成する空間を構成した請求項１〜７のいずれか１項に記載の冷蔵庫。
【請求項９】
張り出し部は、温度帯が低い貯蔵室のドアの内面から突出する突出部の一部に接触するシール用突起を設けた請求項１〜８のいずれか１項に記載の冷蔵庫。
【発明の詳細な説明】
【技術分野】
【０００１】
本発明は、冷蔵庫の断熱仕切壁の省エネ構造に関するものである。
【背景技術】
【０００２】
従来、この種の冷蔵庫は、冷蔵庫本体を断熱仕切壁により複数個の貯蔵室に分割してあり、この断熱仕切壁の前側には、仕切り前板と仕切りカバーと充填された断熱材からなる前仕切体が設けられている（例えば、特許文献１参照）。
【０００３】
図５は、前記広報に記載された従来の冷蔵庫の部分断面を示すものである。図５に示すように、貯蔵部１、２間を区画するとともに貯蔵室１の底板３と貯蔵室２の天井板４を形成した断熱仕切壁５と、この断熱仕切壁５の前部に配置され、裏面に防露加熱体６を添設した仕切前板７と、仕切前板７の背面に設けた断熱仕切壁５の前部分に連結する仕切カバー８と、仕切前板７と仕切カバー８間に充填した断熱材９とから形成された前仕切体１０と、各貯蔵室１、２の前面開口１１、１２を閉塞する扉１３、１４および閉扉時に仕切前板７の面に吸着するガスケット１５が配置されている。
【先行技術文献】
【特許文献】
【０００４】
【特許文献１】特開２００６−２２０３３８号公報
【発明の概要】
【発明が解決しようとする課題】
【０００５】
しかしながら、前記従来の構成では、成型断熱材９と前仕切体１０の２部品の構成のため、つなぎの部分の隙間には、貯蔵部２（冷凍室）内の冷気が侵入し、また仕切カバー８の表面積が拡大し、防露加熱体６の熱が前仕切体１０を介して貯蔵室９（冷凍室）に伝わり、冷気と熱交換し、冷蔵庫の消費電力を低減することができないという課題を有していた。
【０００６】
また、貯蔵室（野菜室）１と貯蔵室（冷凍室）２の断熱仕切壁５の前部に前仕切体１０を構成して、それぞれの貯蔵室扉１３と貯蔵室扉１４とガスケット１５を介してシールをしているが、前仕切体１０の組み立ての状態によりシールが不完全になるという課題を有していた。
【０００７】
本発明は、前記従来の課題を解決するもので、冷蔵庫の消費電力を低減することを目的にする。
【課題を解決するための手段】
【０００８】
前記従来の課題を解決するために、本発明の冷蔵庫は、温度帯が異なる複数個の貯蔵室間を断熱する断熱材を内部に設けた断熱仕切壁と、この断熱仕切壁の一部に設け、前記貯蔵室の入り口側に配置した断熱仕切壁前部と、前記貯蔵室の奥側に配置した断熱仕切壁後部と、前記の複数個の貯蔵室の温度帯が低い貯蔵室側の内壁を構成する断熱仕切壁の断熱仕切壁前部の下部に断熱仕切壁後部より前記貯蔵室内に張り出して設けた張り出し部を設けたものである。
【０００９】
これによって、温度帯が低い貯蔵室側の冷気の侵入経路を絶ち、断熱仕切壁の構成を簡素化して冷気と接触する面積を縮小して、消費電力を低減するようにしている。
【発明の効果】
【００１０】
本発明の冷蔵庫は、消費電力を低減することができる。
【図面の簡単な説明】
【００１１】
【図１】本発明の実施の形態１における冷蔵庫の断面図
【図２】本発明の実施の形態１における冷蔵庫の要部断面図
【図３】本発明の実施の形態２における冷蔵庫の要部断面図
【図４】本発明の実施の形態３における冷蔵庫の要部断面図
【図５】従来の冷蔵庫の部分断面図
【発明を実施するための形態】
【００１２】
第１の発明は、温度帯が異なる複数個の貯蔵室間を断熱する断熱材を内部に設けた断熱仕切壁と、この断熱仕切壁の一部に設け、前記貯蔵室の入り口側に配置した断熱仕切壁前部と、前記貯蔵室の奥側に配置した断熱仕切壁後部と、前記の複数個の貯蔵室の温度帯が低い貯蔵室側の内壁を構成する断熱仕切壁の断熱仕切壁前部の下部に断熱仕切壁後部より前記貯蔵室内に張り出して設けた張り出し部を設けたことにより、温度帯が低い貯蔵室側の冷気の侵入経路を絶ち、断熱仕切壁の構成を簡素化して冷気と接触する面積を縮小しているので、冷蔵庫の消費電力を低減することができる。
【００１３】
第２の発明は、特に、第１の発明の張り出し部は、貯蔵室の左右幅方向に構成することにより、温度帯が低い貯蔵室側の断熱仕切壁に沿って冷気との接触を軽減するので、冷蔵庫の消費電力を低減することができる。
【００１４】
第３の発明は、特に、第１または第２の発明の張り出し部は、断熱仕切壁前部の断熱材と一体に構成することにより、構成を簡素化して部品点数を減少し、組み立て性を向上することができる。
【００１５】
第４の発明は、特に、第１〜第３のいずれか１つの発明の断熱材は、断熱仕切壁内に充填発泡されたウレタン発泡断熱材で構成することにより、構成を簡素化して部品点数を減少し、組み立て性を向上することができる。
【００１６】
第５の発明は、特に、第１〜第４のいずれか１つの発明の断熱材は、一部がポリスチレン系樹脂で構成され、張り出し部は、前記ポリスチレン樹脂で構成したことにより、構成を簡素化して部品点数を減少し、組み立て性を向上することができる。
【００１７】
第６の発明は、特に、第１〜第５のいずれか１つの発明の断熱仕切壁は、温度帯が異なる複数個の貯蔵室を上下に仕切るようにしたことにより、複数個の貯蔵室のそれぞれの用途に合わせた温度設定幅が拡大し、使い勝手を向上させながら、冷蔵庫の消費電力を低減することができる。
【００１８】
第７の発明は、特に、第１〜第６のいずれか１つの発明の断熱仕切壁は、断熱仕切壁後部の下側から支える後部カバーを張り出し部に沿って延長し、その端部を貯蔵室の入り口側に屈曲し構成したことにより、張り出し部の延長に伴って断熱仕切壁後部の強度低下を防止し、断熱仕切壁の温度帯が低い貯蔵室側の寸法精度を維持し、組み立て性を向上することができる。
【００１９】
第８の発明は、特に、第１〜第７のいずれか１つの発明の張り出し部は、温度帯が低い貯蔵室のドアの内面から突出する突出部とで略水平に構成する空間を構成したことにより、
張り出し部と突出部で構成する空間の沿面距離を拡大して冷気の侵入を防止して、冷蔵庫の消費電力を低減することができる。
【００２０】
第９の発明は、特に、第１〜第８のいずれか１つの発明の張り出し部は、温度帯が低い貯蔵室のドアの内面から突出する突出部の一部に接触するシール用突起を設けたことにより、シール用突起が突出部に接触することで、張り出し部と突出部で構成する空間を閉じて冷気の侵入を防止して、冷蔵庫の消費電力を低減することができる。
【００２１】
以下、本発明の実施の形態について図面を参照しながら説明する。なお、本実施の形態によって本発明が限定されるものではない。
【００２２】
（実施の形態１）
図１は、本発明の第１の実施の形態における冷蔵庫の構成を示す断面図、図２は、同実施の形態の冷蔵庫の正面の要部断面図である。
【００２３】
図１、図２において、２０は、冷蔵庫本体で、樹脂製の内箱２１と鋼板製の外箱２２の間に発泡断熱材２３を充填し、断熱箱体２４を構成している。発泡断熱材２３は、ウレタン発泡断熱材で構成されている。２５は、断熱仕切壁で、断熱箱体２４を上下に仕切っている。２６は、冷蔵室、２７は、冷凍室である。冷蔵室２６前面開口部には、ヒンジ式の冷蔵室ドア２８を構成し、冷凍室２７の前面開口部には、ヒンジ式または引き出し式の冷凍室ドア２９を構成している。
【００２４】
また、３０は、冷凍室２７後方に構成された冷却器室で、冷凍室２７と冷却器室３０は、冷却器室カバー３１で仕切られている。３２は、冷却器で、その下方に除霜装置３３を配置している。除霜装置３３は、除霜用のヒータと除霜水の受け皿で構成している。３４は、送風機で、直流式のボックス型の軸流ファンを用いている。送風機３４は、断熱仕切壁２５内の断熱部３６に圧入支持される。このため、送風機３４は、その主要部分を断熱仕切壁２５の圧入部３５内に収容した構成となる。断熱部３６は、ポリスチレン系樹脂（発泡スチロール）で構成されている。
【００２５】
３７は、断熱仕切壁２５の外部を構成する樹脂部で、３７ａは、下板、３７ｂは、上板である。下板３７ａは、冷凍室２７の天井を構成し、上板３７ｂは、冷蔵室２６の底部を構成するようにしている。
【００２６】
３８は、冷蔵室２６の背面に構成された化粧カバーで、送風機３４から吐出される冷気３９を上方に導く冷蔵室吐出通路４０を内箱２１との間に構成している。化粧カバー３８の上方と側部から冷蔵室２６に向かって冷気３９を吹き出すようにしている。
【００２７】
４１は、冷蔵庫本体２０の下部後方に配置した機械室で、圧縮機４２を設けている。
【００２８】
また、冷凍室２７後方には、冷却器３２、除霜装置３３を配置し、軸流ファン３４の中心軸は、断熱仕切壁２５内に配置されている。冷凍室２７に対して、送風機３４から吐出される冷気３９の一部が冷却器室カバー３１の開口（図示せず）を介して吹き出すようにしている。
【００２９】
４３は、断熱仕切壁２５の冷蔵室２６と冷凍室２７の前面開口部側に設けた断熱仕切壁前部で、この断熱仕切壁前部４３は、断熱仕切壁２５の冷蔵室２６と冷凍室２７の奥側に配置した断熱仕切部後部４４の冷蔵室２６と冷凍室２７の前面開口部側を延長し構成した張り出し部４５の上に配置するようにしている。断熱仕切壁前部４３は、断熱仕切壁２５の上板３７ｂの前側を屈曲させて構成している。
【００３０】
張り出し部４５は、冷凍室２７の上部の前面開口の左右幅方向に均一に構成するようにして、冷凍室２７の内面の断熱壁の一部を構成するようにしている。張り出し部４５は、断熱仕切壁２５の下板３７ａを屈曲させて構成するようにしている。断熱仕切壁２５は、この断熱仕切壁前部４３と断熱仕切壁後部４４の２部品で構成している。断熱仕切壁前部４３と断熱仕切壁後部４４の内部は、断熱部３６で構成している。
【００３１】
断熱仕切壁前部４３と断熱仕切壁後部４４の周囲は、樹脂部３７で覆われ、それぞれ前部カバー４６（断熱仕切壁２５の上板３７ｂと兼ねる）と後部カバー４７（断熱仕切壁２５の下板３７ａと兼ねる）として、強度と密閉構成を維持するようにしている。断熱仕切壁前部４３と断熱仕切壁後部４４との結合は、ビスまたは接着剤、テープ等で行うようにしている。
【００３２】
断熱仕切壁前部４３と断熱仕切壁後部４４の冷蔵室２６と冷凍室２７の前面開口側の壁面は、略同一面に構成され、冷蔵室ドア２８と冷凍室ドア２９の内面の外周部に装着したガスケット４８を押し付けて、シールを行うようにしている。
【００３３】
４９は、温度帯が低い冷凍室２７の冷凍室ドア２９の内面から突出する突出部で、冷凍室ドア２９の内面の周壁の全体にわたって設けられている。この突出部４９と張り出し部４５とで、略水平の空間５０を構成し、この空間５０の沿面距離を拡大することで冷気３９の空間５０への侵入量を減少するようにしている。５１は、外界からの侵入熱を表している。
【００３４】
以上のように構成された冷蔵庫において、その動作、作用を説明する。
【００３５】
内箱２１を上下に仕切る断熱仕切壁２５は、後方に設けた挿入部分に送風機３４を圧入し、支持する。この送風機３４は、軸流ファンであり、その外周部には、緩衝材を巻いて挿入部分との隙間を詰めている。圧入支持された送風機３４は、断熱仕切壁２５から独立して送風機３４を上方に取り除くことで、送風機３４の故障等のサービスを可能としている。
【００３６】
また、断熱箱体２４の組み立て工程では、送風機３４を取り付けた状態で断熱仕切壁２５を内箱２１の所定位置に仮固定し、外箱２２と内箱２１間に発泡断熱材２３（発泡ウレタン）を充填し、断熱仕切壁２５の側部にあたる内箱２１の部分から発泡断熱材２３を漏らすことで、断熱仕切壁２５は、所定の位置に固定される。このようにして各組み立て工程を経て、図１、図２に示す冷蔵庫本体２０が完成する。
【００３７】
冷却器３２で冷却されて生じる冷気３９は、送風機３４により冷蔵室２６と冷凍室２７に分配され供給するようにしている。また、吐出された冷気３９は、冷蔵室２６と冷凍室２７を冷却した後に、下部後方に設けられた冷気吸入口（図示なし）から冷却器３２に戻るようにしている。送風機３４は、断熱仕切壁２５の樹脂部３７を構成する下板３７ａよりも下方、上板３７ｂよりも上方に張り出して配置し、外周が矩形状をした送風機３４の上部と両側部は、断熱部３６で支持するようにしている。
【００３８】
冷蔵室２６と冷凍室２７を循環する冷気３９は、断熱仕切壁２５に沿って移動するときに、冷凍室２７側では、冷凍室２７の前面開口部まで断熱仕切壁後部４４を延長して設けた張り出し部４５の後部カバー４７に沿って移動し、冷気３９の侵入経路を無くし、構成を簡素化され接触面積を縮小して、熱交換量を最低限に抑制するようにしている。
【００３９】
以上のように、本実施の形態においては、冷蔵室２６と冷凍室２７を断熱する断熱部３６を内部に設けた断熱仕切壁２５に設け、冷蔵室２６と冷凍室２７の入り口側に配置した断熱仕切壁前部４３と、奥側に配置した断熱仕切壁後部４４と、冷凍室２７の内壁を構成する断熱仕切壁２５の断熱仕切壁前部４３の下部に断熱仕切壁後部４４より冷凍室２７内に張り出して設けた張り出し部４５を設けたので、冷凍室２７側の冷気３９の侵入経路を絶ち、断熱仕切壁２５の構成を簡素化して冷気３９と接触する面積を縮小しているので、冷蔵庫本体２０の消費電力を低減することができる。
【００４０】
また、本実施の形態では、張り出し部４５は、冷凍室２７の上部に左右幅方向に構成するので、冷凍室２７側の断熱仕切壁２５に沿って冷気３９との接触を軽減し、冷蔵庫本体２０の消費電力を低減することができる。
【００４１】
また、本実施の形態では、断熱部３６は、一部がポリスチレン系樹脂で構成され、張り出し部４５は、ポリスチレン樹脂で構成したので、構成を簡素化して部品点数を減少し、組み立て性、メンテ性を向上することができる。
【００４２】
また、本実施の形態では、断熱仕切壁２５は、冷蔵室２６と冷凍室２７を上下に仕切るようにしたことにより、冷蔵室２６と冷凍室２７のそれぞれの用途に合わせた温度設定幅が拡大し、使い勝手を向上させながら、冷蔵庫本体２０の消費電力を低減することができる。
【００４３】
また、本実施の形態では、断熱仕切壁２５は、断熱仕切壁後部４４の下側から支える後部カバー４７を張り出し部４５に沿って延長し、その端部を冷凍室２７の入り口側に屈曲し構成したので、張り出し部４５の延長に伴って断熱仕切壁後部４４の強度低下を防止し、断熱仕切壁２５の冷凍室２７側の寸法精度を維持し、組み立て性を向上することができる。
【００４４】
また、本実施の形態では、張り出し部４５は、冷凍室２７のドアの内面から突出する突出部４９とで略水平に構成する空間５０を構成したことにより、張り出し部４５と突出部４９で構成する空間５０の沿面距離を拡大して冷気３９の侵入を防止して、外界からの侵入熱５１との熱交換を減少し、冷蔵庫の消費電力を低減することができる。
【００４５】
また、本実施の形態では、特に冷凍室２７側の張り出し部４５と突出部４９とで略水平に構成する空間５０を構成したことにより、冷気３９の侵入を防止して、断熱仕切壁前部４３の裏面に防露加熱体等を設けなくても冷蔵庫本体２０の表面の結露を防止することができ、コストダウンを図ることができる。
【００４６】
また、本実施の形態では、特に冷凍室２７側の張り出し部４５と突出部４９とで略水平に構成する空間５０を構成したことにより、この空間５０の沿面距離を調整することで防露できる構成を把握することができ、設計管理の精度を向上することができる。
【００４７】
なお、冷凍室２７側の張り出し部４５と突出部４９とで略水平に構成する空間５０を構成することは、冷蔵室２６にも同様の構成を行うことが可能であり、冷蔵室２６の消費電力を低減することができる。
【００４８】
（実施の形態２）
図３は、本発明の第２の実施の形態における冷蔵庫の構成を示す要部断面図である。
【００４９】
図３において、断熱仕切壁２５は、断熱仕切壁前部４３と断熱仕切壁後部４４および張り出し部４５を一体化させ、前部カバー４６と後部カバー４７で収納容器５２を設けて、構成している。断熱仕切壁２５内の断熱部３６は、断熱仕切壁２５内に充填発泡されたウレタン発泡断熱材で構成している。収納容器５２を構成するときに、折り曲げ部５３を構成して、断熱仕切壁２５の強度を向上するようにしている。
【００５０】
以上のように構成された冷蔵庫において、その動作、作用を説明する。
【００５１】
断熱仕切壁前部４３と断熱仕切壁後部４４の断熱部３６を一体に構成することにより、構成を簡素化して部品点数を減少し、組み立て性を向上するようにしている。また、断熱部３６は、発泡されたウレタン発泡断熱材で充填するので、収納容器５２内全体に断熱部３６を構成するようにしている。
【００５２】
以上のように、本実施の形態においては、断熱仕切壁２５を単体の部品で構成するので、部品点数を減少することで、コストダウンを図ることができる。また、組み立て時の精度を向上させるので、ばらつきの少ない安定した冷凍性能を実現することができる。
【００５３】
また、断熱仕切壁２５内に発泡ウレタンを充填するので、収納容器５２内にスキマ無く、
断熱部３６の断熱材密度を上げられるので、断熱性能を向上することができる。
【００５４】
（実施の形態３）
図４は、本発明の第３の実施の形態における冷蔵庫の構成を示す要部断面図である。
【００５５】
図４において、断熱仕切壁２５は、冷凍室２７側の張り出し部４５の樹脂部３７を構成する下板３７ａから冷凍室２７に向かって、シール用突起で構成するシール部５４を突出するように設けている。シール部５４は、柔軟性のある樹脂材料で構成している。冷凍室２７の冷凍室ドア２９を閉止すると、冷凍室ドア２９の突出部４９の先端がシール部５４に接触して、空間５０を塞ぐようにしている。
【００５６】
以上のように構成された冷蔵庫において、その動作、作用を説明する。
【００５７】
冷凍室２７の冷凍室ドア２９を閉止した状態で、突出部４９とシール部５４が接触し、空間５０を閉じることで、冷凍室２７内を循環する冷気３９が、空間５０内に侵入しないようにしている。
【００５８】
以上のように、本実施の形態においては、張り出し部４５は、温度帯が低い冷凍室２７の冷凍室ドア２９の内面から突出する突出部４９の一部に接触するシール部５４を設けたので、シール部５４が突出部４９に接触することで、空間５０を閉じて冷気３９の侵入を防止して、冷蔵庫の消費電力を低減することができる。
【００５９】
また、シール部５４を柔軟性のある樹脂で構成して、突出部４９と接触するときに突出部４９の一部に確実に接触する部分を構成し密閉性を向上することができる。
【００６０】
なお、冷凍室２７側の下板３７ａからシール部５４を突出するように構成することは、冷蔵室２６にも同様の構成を行うことが可能であり、冷蔵室２６の消費電力を低減することができる。
【産業上の利用可能性】
【００６１】
以上のように、本発明にかかる冷蔵庫は、断熱仕切壁の構成を簡素化して冷気と接触する面積を縮小して、消費電力を低減するので、家庭用の冷蔵庫だけでなく、業務用の冷蔵庫等にも適用できる。
【符号の説明】
【００６２】
２０  冷蔵庫本体
２１  内箱
２２  外箱
２３  発泡断熱材
２５  断熱仕切壁
２６  冷蔵室
２７  冷凍室
２８  冷蔵室ドア
２９  冷凍室ドア
３２  冷却器
３４  送風機
３６  断熱部
４３  断熱仕切壁前部
４４  断熱仕切壁後部
４５  張り出し部
４８  ガスケット
４９  突出部
５０  空間
【図１】
2011191026.tif 000003
【図２】
2011191026.tif 000004
【図３】
2011191026.tif 000005
【図４】
2011191026.tif 000006
【図５】
2011191026.tif 000007